(57)【要約】【課題】待ち時間の更新が不定期で増減しても、滑らかに待ち時間の表示を更新することのできるエレベータの待ち時間表示システムを得る。【解決手段】乗場呼びに応答し、かごの運行に応じて、かごが乗場に到着するまでの待ち時間を更新するエレベータ制御装置３と、エレベータ制御装置３で更新された更新待ち時間を受信する通信手段４１と、更新待ち時間の更新間隔より短い表示間隔で、更新待ち時間に基づいて、表示間隔毎に表示させる表示待ち時間を算出する表示制御手段４５と、表示待ち時間に対応した時間表示画像を格納する格納手段４４と、表示制御手段４５で算出された表示待ち時間に対応した時間表示画像を表示する表示デバイス４２とを備えた。【選択図】        図２
2004250123.tif 000002
【特許請求の範囲】
【請求項１】
乗場呼びに応答し、かごの運行に応じて、かごが乗場に到着するまでの待ち時間を更新するエレベータ制御手段と、
前記エレベータ制御手段で更新された更新待ち時間を受信する通信手段と、
前記更新待ち時間の更新間隔より短い表示間隔で、前記更新待ち時間に基づいて、前記表示間隔毎に表示させる表示待ち時間を算出する表示制御手段と、
前記表示待ち時間に対応した時間表示画像を格納する格納手段と、
前記表示制御手段で算出された表示待ち時間に対応した時間表示画像を表示する表示手段と
を備えたことを特徴とするエレベータの待ち時間表示システム。
【請求項２】
前記表示制御手段は、前回の表示待ち時間から前記表示間隔に対応した時間を減算した時間を今回の表示待ち時間とすることを特徴とする請求項１に記載のエレベータの待ち時間表示システム。
【請求項３】
前記表示制御手段は、現在の更新待ち時間から所定時間経過後の時間を予想待ち時間とし、前回の表示待ち時間から前記所定時間経過後の表示待ち時間が前記予想待ち時間となるように、前記表示待ち時間を線形に減少させるための前記表示間隔単位の時間変化率を算出し、前記表示間隔毎に前記前回の表示待ち時間を前記時間変化率で減少させた時間を今回の表示待ち時間とすることを特徴とする請求項１に記載のエレベータの待ち時間表示システム。
【請求項４】
前記表示制御手段は、前記現在の更新待ち時間から、前記更新間隔経過後の時間を前記予想待ち時間とし、前記前回の表示待ち時間から前記更新間隔経過後の表示待ち時間が前記予想待ち時間となる前記時間変化率を算出することを特徴とする請求項３に記載のエレベータの待ち時間表示システム。
【請求項５】
前記表示制御手段は、前記現在の更新待ち時間から、前記格納手段に格納された最大の表示待ち時間経過後の時間を前記予想待ち時間として算出し、前記前回の表示待ち時間から前記最大の表示待ち時間経過後の表示待ち時間が前記予想待ち時間となる前記時間変化率を算出することを特徴とする請求項３に記載のエレベータの待ち時間表示システム。
【請求項６】
前記表示制御手段は、前記現在の更新待ち時間から、前記現在の更新待ち時間経過後の時間を前記予想待ち時間とし、前記前回の表示待ち時間から前記現在の更新待ち時間経過後の表示待ち時間が前記予想待ち時間となる前記時間変化率を算出することを特徴とする請求項３に記載のエレベータの待ち時間表示システム。
【請求項７】
前記表示制御手段は、前記現在の更新待ち時間から、前回の表示間隔の時点で算出された予想待ち時間経過後の時間を今回の予想待ち時間とし、前記前回の表示待ち時間から前記前回の予想待ち時間経過後の表示待ち時間が前記今回の予想待ち時間となる前記時間変化率を算出することを特徴とする請求項３に記載のエレベータの待ち時間表示システム。
【請求項８】
前記表示制御手段は、前記前回の表示待ち時間と今回算出された表示待ち時間とを比べて、前記今回算出された表示待ち時間が前記前回の表示待ち時間よりも大きい場合には、前記前回の表示待ち時間を今回の表示待ち時間とすることを特徴とする請求項１から請求項７までの何れか１項に記載のエレベータの待ち時間表示システム。
【請求項９】
前記格納手段は、最大表示待ち時間から最小待ち時間までの時間に対応した時間表示画像を格納し、
前記表示制御手段は、算出された表示待ち時間が前記最大表示待ち時間よりも大きい場合には、前記最大表示待ち時間を表示待ち時間とすることを特徴とする請求項１から請求項８までの何れか１項に記載のエレベータの待ち時間表示システム。
【請求項１０】
前記格納手段は、前記表示待ち時間の経過を図形の面積の変化によって表した時間表示画像を格納することを特徴とする請求項１から請求項９までの何れか１項に記載のエレベータの待ち時間表示システム。
【請求項１１】
前記エレベータ制御手段は、前記更新待ち時間を符号化して前記通信手段に伝送することを特徴とする請求項１から請求項１０までの何れか１項に記載のエレベータの待ち時間表示システム。
【請求項１２】
前記エレベータ制御手段は、前記表示制御手段とともに構成され、前記表示待ち時間を符号化し、符号化された表示待ち時間を前記表示間隔毎に伝送することを特徴とする請求項１から請求項１１までの何れか１項に記載のエレベータの待ち時間表示システム。
【発明の詳細な説明】
【０００１】
【発明の属する技術分野】
この発明は、乗場呼びに応答したかごが乗場に到着するまでの待ち時間を表示するエレベータの待ち時間表示システムに関するものである。
【０００２】
【従来の技術】
従来のエレベータの待ち時間表示システムは、エレベータの待ち時間を分かり易く表示するために、表示器に表示する待ち時間をランプの点灯の変化で表しており、待ち時間を数字で表示させた場合に問題となる実際の待ち時間と表示待ち時間との食い違いによる利用者の不快感を緩和させている。この場合、待ち時間を予め決められた範囲に分割し、その分割された範囲毎に待ち時間の表示を変化させる。例えば、待ち時間が２０秒以上であればランプＡ，Ｂ，Ｃを消灯させ、２０秒より多く、１０秒以下であればランプＡだけを点灯させ、１０秒未満であれば、ランプＡ，Ｂを点灯させ、０秒であれば全てのランプを点灯させる。
また、表示器がブラウン管や液晶ディスプレイなどにより詳細になった場合には、この分割数を増やしてより細かな表示に対応させている（例えば、特許文献１参照）。
また、待ち時間が長く、最初にランプが点灯するまでの時間が長くかかってしまうような場合に、待ち時間の初期値を分割数で割った範囲で待ち時間の表示を変化させ、待ち時間の表示を平均的に変化させるエレベータの待ち時間表示システムも提案されている（例えば、特許文献２参照）。
また、最終呼び出し割当は早期呼び出し割当より運行効率が高いが、再割当により表示される待ち時間が突然変わるといった問題点に対して、エレベータ制御装置（群制御装置）から表示器（待ち時間表示装置）に、待ち時間の長さを表す符号（等級）と、その減少速度（例えば、秒３％）、または減少速度に関する情報（例えば初期値１００％、最終値６０％、５秒）を送信し、これらに基づいて、表示器は待ち時間を表示する。この表示器は、より待ち時間が短い符号（等級）になるまで、表示待ち時間の減少を停止する（例えば、特許文献３参照）。
【０００３】
【特許文献１】
特開昭５４−４７２６１号公報
【特許文献２】
特許２７８６７５２号公報
【特許文献３】
特開平８−９９７７９号公報
【０００４】
【発明が解決しようとする課題】
従来のエレベータの待ち時間表示システムは以上のように、待ち時間が長い場合や待ち時間が突然変わった場合に表示待ち時間が長い間変化しなかったり、また、突然変化したり（増えたり）することがあるという問題点があった。
また、待ち時間が突然変化する場合などで、待ち時間の初期値から実際の待ち時間が大きく変化すると、表示が平均的にならないという問題点があった。
また、待ち時間の表示を、待ち時間の長さの符号を分割して決める場合に、予測した待ち時間が表示の途中で突然短くなると、次の符号による分割範囲まで表示が減少するまでに、次の符号による分割範囲を表示し始め、表示が非連続になる。逆に予想待ち時間表示の途中で突然長くなった場合、次の符号に変化するまでの時間が長くなり、表示待ち時間が長く停止することになる。
待ち時間の長さの符号の分割や減少速度や減少時間は、予め決められているか、物件の情報から自動的に算出されるか、待ち時間の統計的履歴情報から自動的に算出される。しかし、予め決められているか、物件の情報から算出されたのであれば、それはシステムが動作する前から固定的であり、予測した待ち時間が突然変化しても待ち時間の表示を補正することができない。また、統計的履歴情報から、待ち時間の長さの符号の分割、減少速度や減少時間の時間を、待ち時間の突然の変化に応じて変更することができなく、一度表示し始めた符号の分割範囲の表示を、連続性を保って変更させることができない。また、これらの複雑な情報を群管理制御装置から表示器に送信する必要があり、伝送路の帯域を浪費することになるという問題点があった。
【０００５】
この発明は上記のような問題点を解決するためになされたもので、待ち時間の更新が不定期で増減しても、滑らかに待ち時間の表示を更新することのできるエレベータの待ち時間表示システムを得ることを目的とする。
【０００６】
【課題を解決するための手段】
この発明に係るエレベータの待ち時間表示システムは、乗場呼びに応答し、かごの運行に応じて、かごが乗場に到着するまでの待ち時間を更新するエレベータ制御手段と、エレベータ制御手段で更新された更新待ち時間を受信する通信手段と、更新待ち時間の更新間隔より短い表示間隔で、更新待ち時間に基づいて、表示間隔毎に表示させる表示待ち時間を算出する表示制御手段と、表示待ち時間に対応した時間表示画像を格納する格納手段と、表示制御手段で算出された表示待ち時間に対応した時間表示画像を表示する表示手段とを備えたものである。
【０００７】
【発明の実施の形態】
実施の形態１．
以下、図面を参照しながら、この発明の実施の形態１について詳細に説明する。図１は、この発明の実施の形態１を示すエレベータの待ち時間表示システムの構成図である。
図１において、エレベータの待ち時間表示システムは、少なくともかご１や巻上機２などで構成されるエレベータを制御するエレベータ制御装置３と、乗場やかごに設置される１つ以上の表示器４とにより構成され、エレベータ制御装置３と表示器４とは伝送路５により接続される。
また、エレベータ台数が複数ある場合には、必要に応じてエレベータ制御装置３、表示器４、伝送路５の数を増減することができ、複数のエレベータ制御装置を管理・制御する群管理制御装置（図示せず）をエレベータ制御装置に含むこともできる。
表示器４は、従来の表示器と同様にエレベータ状態（上昇・下降中、現在の階床など）を表示する表示手段を併せ持つことも可能である。伝送路５は、いかなる有線通信、または、いかなる無線通信の何れであっても構わない。
【０００８】
次に、表示器４の構成について説明する。図２は、この発明の実施の形態１を示す表示器４のブロック構成図である。
表示器４は、伝送路５を介してエレベータ制御装置３と通信する通信手段４１と、表示デバイス（表示手段）４２と、表示デバイス４２を制御する表示デバイス制御手段４３と、表示デバイス４２で表示させるための表示待ち時間を画像で表した時間表示用データ（時間表示画像）を格納する格納手段４４と、これらを制御し、表示待ち時間を算出して、表示デバイス４２に表示待ち時間を表示させる表示制御手段４５とにより構成される。
なお、表示デバイス制御手段４３は、表示制御手段４５とともに構成されてもよい。
【０００９】
なお、通信手段４１は、通信用マイクロコンピュータと、通信用マイクロコンピュータの使用するメモリと、通信インターフェイスデバイスなど、または通信インターフェイスデバイスのみで構成される。
表示デバイス４２は、液晶ディスプレイやプラズマディスプレイなどいかなる平面ディスプレイでも、ブラウン管などであっても、ＬＥＤなどで構成されるディスプレイなど、いかなる表示デバイスであっても構わない。
表示デバイス制御手段４３は、表示インターフェイスデバイス、表示データを一時格納する記憶デバイスなどで構成される。
格納手段４４は、フラッシュメモリやハードディスクなど、特に不揮発性の記憶装置などで構成される。
表示制御手段４５は、制御を実行するマイクロコンピュータ、マイクロコンピュータで実行するプログラムを格納するメモリと、プログラムが実行する際に使用されるメモリなどで構成される。
【００１０】
次に、図３〜図６を参照しながら、表示器４による待ち時間の表示方法について説明する。
図３〜図６は、この発明の実施の形態１を示す待ち時間の表示方法を説明する説明図である。
図３において、待ち時間表示の例として、図形的に棒状で表示し、待ち時間が短くなる度に左から棒状の表示（塗り部分）が伸びていき、棒の表示が最も右に達したときに到着を示す。もちろん、右から伸びていってもよく、棒状の表示は横でなく縦でもよい。
また、逆に、最初に棒状の表示を行って、徐々に短くなっていき、表示がなくなったときに到着を示しても良い。
次に、図４では円形、図５では半円形の例を示す。これらは、図３の表示と同様に待ち時間が短くなる度に塗り部分の面積が変化する。
【００１１】
また、図６では、砂時計を模した図形で待ち時間を表している。図形の片側の塗り部分の面積が減ると、反対側の塗り部分の面積が増えていくような表示方法となる。
また、前述の表示内容を用いて、上昇方向および下降方向の待ち時問表示の両方をそれぞれ表示しても構わないし、エレベータ毎に待ち時間表示が異なる場合（つまり待ち時間を階床全体として表示しない場合）は、１つの表示器に全て又は一部のエレベータの待ち時間表示を行うことも可能である。
更に、待ち時間が残り少なくなったとき（例えばエレベータのかごが停止を決定したとき：具体的には、待ち時間が３秒や０秒になったときなど）に、これから向かうエレベータの方向を表示したり、待ち時間の表示を明滅させることも可能である。
格納手段４４には、以上のような時間を図形化した画像が格納されており、表示デバイス４２には、表示制御手段４５で算出された表示待ち時間に対応した画像が表示される。
【００１２】
次に、この発明の実施の形態１によるエレベータの待ち時間表示システムの動作について説明する。
図７は、この発明の実施の形態１による動作を示すフローチャートである。
図７のように、待ち時間表示システムでは、待ち時間の受信処理と、表示待ち時間の表示処理とが並列して実行される。
まず、通信手段４１は、エレベータ制御装置３からの待ち時間（更新待ち時間）の受信データがあるか否かを判定する（ステップＳ１）。エレベータ制御装置３から待ち時間を受信した場合（すなわち、ＹＥＳ）、表示制御手段４５に伝送された待ち時間を出力する（ステップＳ２）。一方、待ち時間を受信していない場合、エレベータ制御装置３からの受信データを待つ。
表示制御手段４５は、最新の待ち時間のデータが受信されたことを確認すると（ステップＳ３）、表示待ち時間の算出を開始する（ステップＳ４）。表示待ち時間が算出されると、格納手段４４から表示待ち時間の時間に対応した時間表示画像を取得し、表示デバイス制御手段４３に出力する。表示デバイス制御手段４３は、表示デバイス４２を制御して、時間表示画像を表示させる（ステップＳ５）。
【００１３】
表示制御手段４５は、待ち時間を受信した時点から所定の表示間隔（表示周期）を計測し（ステップＳ６）、時間を計測しながら、所定の表示間隔が経過したか否かを判定する（ステップＳ７）。
ステップＳ７において、所定の表示間隔だけ経過した場合（すなわち、ＹＥＳ）、エレベータ制御装置３から最新の待ち時間を受信したか否かを確認し（ステップＳ３）、表示待ち時間を算出する（ステップＳ４）。
すなわち、所定の表示間隔毎に表示待ち時間を算出し、表示デバイス４２の表示を更新する。
また、ステップＳ７において、所定の表示間隔だけ経過していない場合（すなわち、ＮＯ）、計測を続ける。
【００１４】
次に、表示制御手段４５による表示待ち時間の算出方法について説明する。
表１に、エレベータ制御装置３から出力された待ち時間と、その更新タイミングとを示した例を挙げる。
【００１５】
【表１】
2004250123.tif 000003
【００１６】
表１において、エレベータ制御装置３によって更新される待ち時間のタイミングは、０秒、４秒、１４秒、・・・と不定期である。また、更新される待ち時間も、１５秒で急に増加したりしている。
このように、エレベータ制御装置３から出力される待ち時間の更新タイミングは不定期でも定期的であっても構わないし、待ち時間の値は増減しても構わない。また、増減の幅は一定でなくても、一定であっても構わない。
表示制御手段４５には表示の更新間隔が設定されており、単位時間Ａとして、例えば０．５秒とする。
この値は、待ち時間の更新間隔より短ければ短いほど滑らかな表示が得られるが、０．０３秒より細かい粒度は人間の視覚ではほとんどわからないため、高々０．０３秒ぐらいである。
なお、表１では、エレベータ制御装置３から出力される待ち時間の更新間隔は不定期であり、具体的には、最短で１秒、最大で１５秒である。この場合、待ち時間の更新間隔としては、最大値又は最大値と推定される値を想定した場合でも（もちろん平均値、最小値であっても）、待ち時間の更新に併せて表示を更新するよりも、表示の滑らかさの点において効果を表すことになる。
【００１７】
例えば、単位時間Ａを０．５秒とすると、表示デバイス４２の表示は０．５秒おきに更新されることとなる。
表１において、更新時刻０秒において待ち時間は５１秒で受信しており、乗場呼びに応答してから最初の表示待ち時間の表示が５１秒に相当する。
次にエレベータ制御装置３からの待ち時間の受信は４秒であるので、待ち時間が更新されるまでの、０〜４秒までの４秒間、単位時間Ａおきに表示待ち時間を算出していく。
表示待ち時間は、最初の表示待ち時間となる５１秒から単位時間Ａ（０．５秒）おきに、単位時間Ａ（０．５秒）ずつ減算され、単位時間Ａおきに表示待ち時間が更新される。
【００１８】
次に待ち時間が更新される更新時刻４秒では、表示待ち時間は４７秒となる。
また、このときエレベータ制御装置３によって更新された待ち時間も４７秒となり、算出された表示待ち時間を表示させる。
また、更に単位時間Ａおきに単位時間Ａずつ減算して、更新時刻１４秒では、表示待ち時間は４７秒−（１４秒−４秒）＝３７秒となる。エレベータ制御装置３により更新された待ち時間は３９秒であり、両者に誤差が出るので、この場合、両者を比較して、値の小さい３７秒を表示待ち時間とする。
次に、待ち時間が更新される更新時刻１５秒では、表示待ち時間は３７秒−（１５秒−１４秒）＝３６秒となる。更新時刻１５秒の待ち時間は５８秒であり、待ち時間は、算出された表示待ち時間より大きいため、小さい値の３６秒を表示待ち時間とする。
【００１９】
以上のように、単位時間おきに表示待ち時間を算出するとともに、待ち時間が更新された場合には、算出された表示待ち時間と比較することにより、表示待ち時間を決定する。この算出を繰り返し、表示待ち時間が０秒、すなわち、乗場にかごが到着するまで算出を繰り返す。
つまり、表示待ち時間は、以下の式（１）により与えられる。
表示待ち時間＝ｍｉｎ（前回（単位時間Ａ前）の表示待ち時間−単位時間Ａ，最新待ち時間）・・・  （１）
【００２０】
このように、待ち時間が更新されたときの表示待ち時間から、次に待ち時間が更新されるまで、待ち時間の更新間隔より短い単位時間Ａ（表示周期）毎に表示待ち時間の表示を変化させるので、待ち時間の更新間隔が不定期だったり、増減が一定でなくても、より滑らかな待ち時間表示を可能とする。
また、表示待ち時間の変化を単位時間Ａずつの減少とし、待ち時間が更新されると、更新された待ち時間と現在の表示待ち時間に基づいて表示待ち時間を更新するので、簡便に滑らかな待ち時間表示を実現することができる。
また、更新された待ち時間に基づいた表示待ち時間が、更新直前の表示待ち時間より大きい場合には、表示待ち時間を更新しないので、表示待ち時間が途中で増加することを防ぎ、利用者に不快感を抱かさないようにすることができる。
【００２１】
また、更新された待ち時間に基づいた表示待ち時間が、表示可能な最大表示待ち時間より大きい場合には、最大表示待ち時間を表示待ち時間とするので、かご毎の待ち時間を表示する場合にも、相対的な待ち時間を表示することができる。また、表示待ち時間を数値（数字、例えば秒数）で表すと、実際の時間の経過との対比によって表示が早かったり短かったりすることが利用者にわかりやすく、不快感を抱かさせることがあったが、表示待ち時間を図形的な面積の変化によって表すので、対比がしづらく、数値表示に比べて感覚的に不快感を軽減することができる。
【００２２】
実施の形態２．
上記実施の形態１では、現在の表示待ち時間から単位時間を減算した値を最新の表示待ち時間としたが、ある時間までの待ち時間を予想し、予想された待ち時間までの待ち時間の変化率に応じて表示待ち時間を変化させてもよい。
表１を参照しながら、この発明の実施の形態２による動作について説明する。
表１において、０秒の時点でエレベータ制御装置３から待ち時間が５１秒と伝送される。
【００２３】
表示制御手段４５は、エレベータ制御装置３から待ち時間を受信した時点から単位時間Ｂだけ経過した後の待ち時間を予想する。例えば、単位時間Ｂを１５秒とし、０秒の時に受信した５１秒から１５秒経過後の待ち時間（予想待ち時間）を算出すると、
５１秒−１５秒＝３６秒
となる。また、最大表示待ち時間を５０秒、表示更新タイミングとなる単位時間Ａを０．５秒とすると、現在の表示待ち時間である５０秒から線形に変化し、１５秒後に３６秒となるような、０．５秒当たりの変化量（変化時間）を算出する。
すなわち、変化時間は以下の式（２）のように算出される。
（５０秒−３６秒）／１５秒×０．５秒＝約０．４６７秒・・・  （２）
０秒から単位時間Ａ経過後の０．５秒における表示待ち時間は、５０秒から０．４６７秒を減算した値となる。
【００２４】
次に、４秒までの間、エレベータ制御装置３からの待ち時間は更新されないので、単位時間Ａ毎に、待ち時間５０秒に基づいて、式（１）の計算が行われる。すなわち、４秒までの間、変化時間は０．４６７秒と算出され、最新の表示待ち時間から０．４６７秒が減算されていく。
次に、４秒経過時点で、エレベータ制御装置３から待ち時間４７秒と更新されると、最新の待ち時間に基づいて、単位時間Ｂまでの単位時間Ａ毎の変化時間を算出する。
最新の待ち時間の４７秒から単位時間Ｂの１５秒後は、
４７秒−１５秒＝３２秒
となり、４７秒から１５秒経過後の予想待ち時間は３２秒となる。ここで、１５秒経過後に３２秒となるような０．５秒ごとの変化時間は、以下の式（３）のように算出される。なお、３．５秒時の表示待ち時間は４６．７３１秒（＝５０秒−０．４６７秒×７）である。
【００２５】
（４６．７３１秒−３２秒）／１５秒×０．５秒＝約０．４９１秒・・・  （３）
すなわち、４秒における表示待ち時間は、４６．７３１秒から０．４９１秒を減算した値となる。
この算出を繰り返し、表示待ち時間が０秒になるまで繰り返し算出を行う。
表示待ち時間は、以下の式（４）のように表される。
表示待ち時間＝ｍｉｎ（前回の表示待ち時間，前回の表示待ち時間−（前回の表示待ち時間−（最新の待ち時間−単位時間Ｂ）／単位時間Ｂ）×単位時間Ａ）・・・  （４）
なお、「前回の表示待ち時間」の初期値は、最大表示待ち時間とする。
【００２６】
また、単位時間Ｂは、先の待ち時間の更新間隔以外に、最大表示待ち時間や最新の待ち時間、最新の予想待ち時間を用いることも可能である。
更に、最新の待ち時間を待ち時間の更新を待たずに更新したものを反映するために、以下の式（５）により表示待ち時間を求めることも可能である。
表示待ち時間＝ｍｉｎ（前回の表示待ち時間，前回の表示待ち時間−（前回の表示待ち時間−（最新の待ち時間−単位時間Ｂ−最新の待ち時間の更新からの経過時間）／単位時間Ｂ）×単位時間Ａ）・・・  （５）
なお、先の例と同様に「前回の表示待ち時間」の初期値は、最大表示待ち時間とする。
【００２７】
以上のように、最新の待ち時間に基づいて、所定時間までの予想待ち時間を算出し、その予想待ち時間に線形に変化するように、表示を変化させていく。
このように、現在の表示待ち時間から単位時間Ｂ経過後の予想待ち時間までを線形に減少させるように、表示待ち時間を変化させるので、待ち時間が更新されたときに表示待ち時間の表示が非連続にならないようにすることができる。
また、最大表示時間が実際の表示待ち時間よりも小さい場合でも、実際の時間経過に表示を見立てて、線形に時間を変化させることができる。
【００２８】
実施の形態３．
次に、エレベータ制御装置３と表示器４との間でやりとりされる待ち時間情報について説明する。
表示器４の処理を軽くするためには、なるだけエレベータ制御装置側で処理を行う必要がある。このため、表示制御手段４５をエレベータ制御装置３側で設け、待ち時間情報は、上記の算出で求められる表示待ち時間を符号化したもの、例えば、表示待ち時間を８ビットのデータとして持つパケットとして表示器４に伝送する。符号化された表示待ち時間のデータは、バイナリーコードで２５６秒までの待ち時間を表現できるようにする。
このパケットに設置階床識別子やエレベータかご識別子を付加するか、表示器４を示す識別子を付加し、必要な情報を伝送できるようにする。この場合、表示の更新間隔である単位時間Ａ毎に伝送が行われることになる。
このように、待ち時間情報は、待ち時間に基づいて生成される表示待ち時間を符号で表したものであり、表示器４は、待ち時間情報から符号で表された表示待ち時間を読み取って待ち時間表示を行う。
これにより、表示器４における処理が軽減され、表示器４を簡易に構成することができる。
【００２９】
逆に、伝送路の負荷を軽減するために、表示器側で処理を行ってもよい。この場合、エレベータ制御装置３からの待ち時間情報は、待ち時間を符号化したもの、例えば、待ち時間を符号化したものを３ビットのデータとして持つパケットとし、待ち時間を８分割した（例えば０から４０秒までを５秒ごとに分割）符号として伝送される。この場合、この８分割した範囲が変更になったときのみ伝送が行われることになる。
このように、待ち時間情報は、待ち時間を符号で表したものであり、表示器４は、待ち時間情報から符号で表された待ち時間を読み取って、予想待ち時間を求め、待ち時間表示を行う。
これにより、伝送路５でやり取りされる情報は符号化された待ち時間情報だけとなり、伝送路の帯域を有効活用することができる。
【００３０】
【発明の効果】
以上のように、この発明によれば、乗場呼びに応答し、かごの運行に応じて、かごが乗場に到着するまでの待ち時間を更新するエレベータ制御装置と、エレベータ制御装置で更新された更新待ち時間を受信する通信手段と、更新待ち時間の更新間隔より短い表示間隔で、更新待ち時間に基づいて、表示間隔毎に表示させる表示待ち時間を算出する表示制御手段と、表示待ち時間に対応した時間表示画像を格納する格納手段と、表示制御手段で算出された表示待ち時間に対応した時間表示画像を表示する表示デバイスとを備えたので、待ち時間の更新間隔が不定期だったり、増減が一定でなくても、より滑らかに待ち時間を表示することのできるエレベータの待ち時間表示システムが得られる効果がある。
【図面の簡単な説明】
【図１】この発明の実施の形態１を示すエレベータの待ち時間表示システムの構成図である。
【図２】この発明の実施の形態１を示す表示器のブロック構成図である。
【図３】この発明の実施の形態１を示す待ち時間の表示方法を説明する説明図である。
【図４】この発明の実施の形態１を示す待ち時間の表示方法を説明する説明図である。
【図５】この発明の実施の形態１を示す待ち時間の表示方法を説明する説明図である。
【図６】この発明の実施の形態１を示す待ち時間の表示方法を説明する説明図である。
【図７】この発明の実施の形態１による動作を示すフローチャートである。
【符号の説明】
１  かご、２  巻上機、３  エレベータ制御装置、４  表示器、５  伝送路、４１  通信手段、４２  表示デバイス、４３  表示デバイス制御手段、４４  格納手段、４５  表示制御手段。
【図１】
2004250123.tif 000004
【図２】
2004250123.tif 000005
【図３】
2004250123.tif 000006
【図４】
2004250123.tif 000007
【図５】
2004250123.tif 000008
【図６】
2004250123.tif 000009
【図７】
2004250123.tif 000010